(57)【特許請求の範囲】
【請求項１】
引戸の端面近傍の戸面に設けられたケースと、
前記引戸の端面側から順に前記ケースに並設された第１開口部及び第２開口部と、
前記第１開口部に臨むとともに、引戸開放方向と引戸閉塞方向に摺動自在となるように前記ケース内に設けられたハンドルと、
前記ハンドルの引戸開放方向への摺動により前記第２開口部から突出し、前記ハンドルの引戸閉塞方向への摺動により前記ケース内に収納されるストッパーと、
を備え、
前記ストッパーは、前記ハンドルの引戸開放方向へ作用する力により前記第２開口部から突出し、該力による前記引戸の移動に伴い、前記引戸の収納部又は引違い戸に当接することで、前記引戸の移動を阻止することを特徴とする引戸用取手。
【請求項２】
前記第１開口部の前記引戸開放方向側及び前記引戸閉塞方向側の周縁部にテーパー面が形成されていることを特徴とする請求項１に記載の引戸用取手。
【請求項３】
前記ストッパーは、ストッパー収納用弾性部材によって前記ケース内に収納される方向へ付勢されていることを特徴とする請求項１又は請求項２に記載の引戸用取手。
【請求項４】
前記ストッパーは、軟質材で成形されていることを特徴とする請求項１〜請求項３の何れか１項に記載の引戸用取手。
【請求項５】
前記ハンドルは、ハンドル移動用弾性部材によって引戸閉塞方向へ付勢されていることを特徴とする請求項１〜請求項４の何れか１項に記載の引戸用取手。
【発明の詳細な説明】
【０００１】
【発明の属する技術分野】
本発明は、引戸に設けられる取手に関し、更に詳しくは引戸を開けたときの指詰めを防止する機構に関する。
【０００２】
【従来の技術】
従来、引戸には取手が設けられており、その取手を手指でもって引戸の戸面と平行な方向（以下、開放方向あるいは閉塞方向という）へ押し引きすることにより、引戸が敷居上を移動して開口が開閉されるようになっている。ところが、このような引戸の場合、引戸を開放方向へ移動させたときに、その引戸の収納部又は引き違いに敷居上に備えられている別の引戸との隙間に、取手に挿入している手指が挟まれる、いわゆる指詰めが起きることがある。
【０００３】
そのため、取手にストッパーを突設させたものが特開平１０−１３１５５３号公報で開示されている。図１１で示すように、このストッパー１０４は、取手１０２から突出した状態に設けられ、取手１０２に手指を挿入して引戸１００を開けたとき、引戸の収納部又は引き違いに備えられている別の引戸１０６の端面１０６Ａに当接して、引戸１００がそれ以上開放方向へ移動しないように規制するようになっている。したがって、指詰めが起きることはない。
【０００４】
【発明が解決しようとする課題】
しかしながら、このような構成のストッパー１０４では、常に取手１０２から突出した状態になっているので、取手１０２部分の見栄えがよくなく、かつ、引戸１００を開けたときには、そのストッパー１０４によって、取手１０２を含む引戸１００の一部（図示の矢印Ｗで示す範囲の部分）が別の引戸１０６より突出した状態になってしまうので、開口１０８が完全に開放されず、開口１０８が狭くなってしまうという問題がある。
【０００５】
そこで、本発明は、指詰めが起きることなく、安全かつ完全に開口を開放させることができる引戸用取手を得ることを目的とする。
【０００６】
【課題を解決するための手段】
上記の目的を達成するために、本発明に係る請求項１に記載の引戸用取手は、引戸の端面近傍の戸面に設けられたケースと、前記引戸の端面側から順に前記ケースに並設された第１開口部及び第２開口部と、前記第１開口部に臨むとともに、引戸開放方向と引戸閉塞方向に摺動自在となるように前記ケース内に設けられたハンドルと、前記ハンドルの引戸開放方向への摺動により前記第２開口部から突出し、前記ハンドルの引戸閉塞方向への摺動により前記ケース内に収納されるストッパーと、を備え、前記ストッパーが、前記ハンドルの引戸開放方向へ作用する力により前記第２開口部から突出し、該力による前記引戸の移動に伴い、前記引戸の収納部又は引違い戸に当接することで、前記引戸の移動を阻止することを特徴としている。
【０００７】
このような構成にすると、開口を開放させるために、ハンドルに手指を挿入して引戸を開放方向へ移動させると、ストッパーが第２開口部から突出するので、引戸を開放方向へ移動させても、そのストッパーが引戸の収納部又は引違い戸（引き違いに備えられている別の引戸）の端面に当接して、それ以上の移動が阻止される。したがって、指詰めが防止される。また、引戸の開放方向とストッパーを突出させるハンドルの摺動方向が同じであるため、引戸を開放方向に移動させるのに必要な力に無駄がなく、スムーズにストッパーを突出させることができる。
【０００８】
また、そのハンドルを引戸の閉塞方向へ移動させると、ストッパーがケース内に収納されるので、引戸を収納部等に完全に収納させることができる。したがって、開口を完全に開放させることができる。また、開口を閉塞するために、ハンドルに手指を挿入して引戸を閉塞方向へ移動させたときにも、引戸の閉塞方向とストッパーを収納させるハンドルの摺動方向が同じであるため、わざわざストッパーを収納させるための特別な動作が必要ない。また、ストッパーはケース内に収納されるため、取手自体の見栄えもよい。
【０００９】
また、請求項２に記載の引戸用取手は、請求項１に記載の引戸用取手において、前記第１開口部の前記引戸開放方向側及び前記引戸閉塞方向側の周縁部にテーパー面が形成されていることを特徴としている。
【００１０】
このような構成にすると、手指が第１開口部の引戸開放方向側及び引戸閉塞方向側の周縁部に当接してもケガをする心配がない。
【００１１】
更に、請求項３に記載の引戸用取手は、請求項１又は請求項２に記載の引戸用取手において、前記ストッパーが、ストッパー収納用弾性部材によって前記ケース内に収納される方向へ付勢されていることを特徴としている。このような構成にすると、ハンドルから手指を離すと、ストッパー収納用弾性部材の働きにより、自動的にストッパーがケース内に収納されるので、収納し忘れることがない。
【００１２】
そして、請求項４に記載の引戸用取手は、請求項１〜請求項３の何れか１項に記載の引戸用取手において、前記ストッパーが、軟質材で成形されていることを特徴としている。このような構成にすると、ストッパーが収納部や別の引戸の端面に当接（衝突）した際、その端面を傷つけるようなことがない。しかも、そのときの衝突音を低減することができる。
【００１３】
また、請求項５に記載の引戸用取手は、請求項１〜請求項４の何れか１項に記載の引戸用取手において、前記ハンドルが、ハンドル移動用弾性部材によって引戸閉塞方向へ付勢されていることを特徴としている。このような構成にすると、ハンドル内に手指が挿入されていないときには、常にハンドルが引戸閉塞方向へ摺動して、ストッパーをケース内に収納させるので、取手自体の見栄えがよく、引戸を開閉する上で省力化が図れて至便になる。
【００１４】
【発明の実施の形態】
以下、本発明の実施の形態を図面に示す実施例を基に詳細に説明する。なお、説明の便宜上、図１において、引戸１０の手前側の戸面を表面とし、その反対側の戸面を引戸１０の裏面とするが、実際には表裏の区別は特にない。また、この引戸１０は、引き違いに敷居１１上に備えられている別の引戸１２に向かって移動することにより開口１６を開放するものとし、引戸１２が図５乃至図７で示すような壁（収納部）１４の内側にすでに収納されている場合には、その引戸１２と壁１４の間に収納されるものとする。
【００１５】
まず、第１実施例について説明する。図１乃至図３で示すように、引戸１０の端面１０Ａ近傍の表面及び裏面には取手２０が設けられる。この取手２０は、引戸１０の端面１０Ａ近傍の戸面に穿設された略矩形状の開孔部１０Ｂに埋設される略矩形状のケース２２を備えており、このケース２２は、引戸１０の裏面（又は表面）側から挿設される外ケース２４と、引戸１０の表面（又は裏面）側から挿設される内ケース２６とで構成されている。
【００１６】
外ケース２４は、略長方形状のカバー３０と、そのカバー３０の内面に一体に突設される正面視略「ロ」字状のフレーム３６とで構成され、フレーム３６内のカバー３０には大小２つの略長方形状の開口部３２、３４がカバー３０の長手方向（左右方向）に並んで穿設されている。フレーム３６は、引戸１０の厚さと略同等の幅に成形されており、その左右両側中央には、ネジ１８が螺合される非貫通のボス２８が一体に横設されている。
【００１７】
また、カバー３０の外面側（引戸裏面側）周縁部にはテーパー面３０Ａが形成されており、小さい開口部３４の外面側（引戸裏面側）で、左右の辺縁部にもテーパー面３４Ａが形成されている。そして、フレーム３６の左右両側でボス２８の上方及び下方には、正面視でカバー３０より突出しない程度の長さに形成されたフランジ３９が突設されている。なお、このフランジ３９は、引戸１０の開孔部１０Ｂの左右内面に摺接して、ケース２２が引戸１０に対して固定されるようにするものである。
【００１８】
一方、内ケース２６も、略長方形状のカバー４０と、そのカバー４０の内面に一体に突設される正面視略「コ」字状のフレーム４６とで構成されており、フレーム４６内のカバー４０には大小２つの略長方形状の開口部４２、４４がカバー４０の長手方向（左右方向）に並んで穿設されている。フレーム４６は、引戸１０の厚さと略同等の幅に成形され、外ケース２４のフレーム３６内面に接触しながら嵌合される。また、このフレーム４６のカバー４０とは反対側には、開口部４２、４４と同等の開口部５２、５４を備えたサブカバー５０が一体に設けられており、このサブカバー５０は正面視でフレーム４６から突出しないようになっている。
【００１９】
また、開口部４２、４４間のカバー４０の内面中央及び開口部５２、５４間のサブカバー５０の内面中央には、後述する圧縮コイルバネ９０の一端が当接されて保持される仕切板４８が一体に架設されている。そして、フレーム４６の開口部４４、５４側の上下には、平面視で細長い略長方形状の規制孔５６、５８が穿設されている。また、フレーム４６の開口部４２、５２側の上下には、平面視で略円弧状に曲折した長孔部６０と円形状の軸孔部６２とがそれぞれ２組ずつ穿設されており、長孔部６０は後述するストッパー８０、８２のガイド及び回動規制用とされ、軸孔部６２は同じく回動軸用とされている。
【００２０】
更に、カバー４０の外面側（引戸表面側）周縁部にはテーパー面４０Ａが形成されており、小さい開口部４４の外面側（引戸表面側）で、左右の辺縁部にもテーパー面４４Ａが形成されている。そして、カバー４０の左右両端側中央には、ネジ孔３８が設けられており、ネジ１８が挿通される外面側（引戸表面側）には、ネジ１８の頭部と合致するテーパー面が形成されている。
【００２１】
このような構成の内ケース２６において、小さい開口部４４、５４側のフレーム４６内には、ハンドル７０がカバー４０及びサブカバー５０の長手方向（左右方向）、即ち引戸１０の開閉方向に摺動自在に設けられている。このハンドル７０は、開口部４４、５４（開口部３４）を略閉塞可能な大きさの略矩形箱状に成形され、その開口部４４、５４側の開放されているフレーム４６の右端部４６Ａから挿入されて設置される。
【００２２】
その際、ハンドル７０の上面及び下面に突設された突起６６、６８が、その両側に設けられた切り欠きによる弾性変形によって一旦内方側に撓み、その後、フレーム４６の規制孔５６、５８に挿入される。したがって、ハンドル７０は、その摺動範囲が規制孔５６、５８によって所定のストローク（例えば、５ｍｍ程度）になるように規制される。
【００２３】
また、このハンドル７０の表裏両面には、手指が挿入される断面視略円弧状の凹部７２、７４が設けられており、それぞれカバー４０に穿設した開口部４４と、サブカバー５０（カバー３０）に穿設した開口部５４（開口部３４）に臨むようになっている。また、ハンドル７０の左側面中央には圧縮コイルバネ９０の他端を嵌挿する側面視略十字状のバネ保持部６４が突設されており、そのバネ保持部６４の上方及び下方には、後述するストッパー８０、８２の後端部を押圧可能な側面視略Ｔ字状で、正面視略台形状の押圧部７６、７８が突設されている。
【００２４】
一方、開口部４２、５２側のフレーム４６内には、ストッパー８０、８２が設けられる。このストッパー８０、８２は、開口部４２、５２（開口部３２）を閉塞可能な大きさで、かつ、少なくとも別の引戸１２の端面１２Ａや壁１４の端面１４Ａに当接する部位がＴＰＥ（熱可塑性ゴム）等の軟質材で成形されており、その当接部位の形状が平面視略円弧状に凹んだ曲面状に形成されている。
【００２５】
また、ストッパー８０、８２の後端部近傍には、上下方向に貫通した軸孔部８４が穿設されており、この軸孔部８４に挿通された回動軸９４の両端部が、内ケース２６のフレーム４６に穿設された軸孔部６２に挿通されて、ストッパー８０、８２がそれぞれ開口部４２と開口部３２から出没自在に枢支されるようになっている。
【００２６】
更に、ストッパー８０、８２の内側部近傍には、上下方向に貫通した軸孔部８６が穿設されており、この軸孔部８６に挿通された規制軸９６の両端部が、内ケース２６のフレーム４６に穿設された長孔部６０に挿通されて、ストッパー８０、８２の回動範囲が規制され、突出ストロークが規制されるようになっている。
【００２７】
また、ストッパー８０、８２の内側部中央には、軸孔部８６と連通している切欠部８０Ａ、８２Ａが設けられており、そこから露出している規制軸９６に、引張コイルバネ８８の両端に設けたリング状のフック８８Ａが嵌挿されるようになっている。しかして、この一対のストッパー８０、８２は互いに内ケース２６、即ちケース２２内に収納される方向へ常時付勢されるようになっている。
【００２８】
ところで、ハンドル７０は所定のストローク（例えば、５ｍｍ程度）分、引戸１０の開閉方向に摺動自在になっており、ハンドル７０の押圧部７６、７８が常時ストッパー８０の回動軸９４よりも内側の後端部に当接するように組み付けられている（図３参照）。
【００２９】
したがって、ハンドル７０を引戸開放方向に摺動させ、ストッパー８０、８２の後端部をそれぞれ押圧すると、ストッパー８０、８２は回動軸９４を中心に引張コイルバネ８８の付勢力に抗して、同期して外方側へ回動し、ケース２２内、即ち引戸１０の表裏両面から所定長さ分（長孔部６０によって規制軸９６が規制されるまで）突出するようになっている。ちなみに、本実施例において、両ストッパー８０、８２の最大突出時の拡開角度αは、図４で示す平面視で約４５°位ずつになっている。
【００３０】
以上のような構成の引戸用取手２０において、次に、その一連の作用について図４乃至図７を基に説明をする。まず、開口部４４、３４、即ちハンドル７０に設けられた凹部７２、７４のどちらか一方に手指を挿入する。そして、そのハンドル７０を引戸開放方向へ摺動させて所定のストローク分移動させる。なお、このとき、開口部４４、３４の左右辺縁部にはテーパー面４４Ａ、３４Ａが形成されているので、手指がその左右辺縁部に当接してもケガをする心配がない。
【００３１】
こうして、ハンドル７０を移動させると、押圧部７６、７８がストッパー８０、８２の回動軸９４よりも内側の後端部を押圧するので、ストッパー８０、８２は、引張コイルバネ８８の付勢力に抗して回動軸９４を中心に外方側に向かって回動し、引戸１０の表裏両面から突出する。このとき、規制軸９６が長孔部６０に挿通されていることにより、その回動範囲が規制され、ストッパー８０、８２は所定長さ分だけ突出する。
【００３２】
そして、その状態のまま引戸１０を開放方向へ移動させるが、上記したように、ハンドル７０の摺動方向は引戸１０の開放方向と同じであるため、実際には引戸１０を開放方向へ移動させるだけで、スムーズにストッパー８０、８２を突出させることができる。こうして、引戸１０を開放方向へ移動させると、図４、図５で示すように、別の引戸１２の端面１２Ａや壁（収納部）１４の端面１４Ａにストッパー８０、８２が衝突し、引戸１０の開放方向への移動がそれによって規制される。このため、手指が引戸１２や壁１４との隙間に挟まれるようなことは起きず、指詰めが防止される。
【００３３】
また、このストッパー８０、８２の少なくとも端面１２Ａ、１４Ａとの当接部位はＴＰＥ（熱可塑性ゴム）等の軟質材で成形されているので、その衝突は弾性衝突になり、端面１２Ａ、１４Ａを傷つけるような不具合がないとともに衝突音も低減される。更に、表裏どちらか一方の面側からの操作だけで、表裏両面からストッパー８０、８２を突出させることができ、かつ、図５乃至図７で示すように、引戸１２と壁１４の間に収納する場合には、両方のストッパー８０、８２で衝突時の衝撃を受けることができるので、その剛性を確保することができる。
【００３４】
こうして、ストッパー８０、８２が端面１２Ａ、１４Ａに衝突したら、ハンドル７０を引戸閉塞方向へ移動させる。このとき、ハンドル７０のバネ保持部６４と仕切板４８との間に圧縮コイルバネ９０が設けられてあると、スムーズにハンドル７０を引戸閉塞方向へ摺動させることができ、更に、内ケース２６に対するハンドル７０の摺動抵抗が小さければ、手指を凹部７２又は凹部７４内から離すだけで、その圧縮コイルバネ９０の付勢力によって、ハンドル７０を引戸閉塞方向へ移動させることができる。したがって、引戸１０の開閉において省力化が図れる。
【００３５】
このように、圧縮コイルバネ９０を設けると、引戸１０を開閉させる上で至便になって好ましいが、この圧縮コイルバネ９０は必ずしも必要なものではなく、ストッパー８０、８２をスムーズにケース２２内に収納させることができるようになっていれば、設けなくても構わないものである。
【００３６】
ハンドル７０が引戸閉塞方向へ移動させられると、図６で示すように、ストッパー８０、８２が引張コイルバネ８８の付勢力によってケース２２内に収納される。これにより、引戸１０は引戸１２と壁１４との間に収納可能になるので、今度は引戸１０の端面１０Ａを引戸開放方向へ押圧して移動させ、引戸１０を完全に引戸１２と壁１４との間に収納する。なお、このとき、カバー３０、４０の周縁部にはテーパー面３０Ａ、４０Ａが形成されているので、引戸１０はスムーズに引戸１２と壁１４との間に収納される。そして、図７で示すように、引戸１０の端面１０Ａが引戸１２の端面１２Ａ及び壁１４の端面１４Ａと略面一になり、図１で示す開口１６が完全に開放される。
【００３７】
その後、開口１６を閉塞する際には、引戸１０を閉塞方向へ移動させるが、このとき、引戸１０の端面１０Ａには出入自在なハンドル９２が付設されているので、このハンドル９２を引き出して引戸１０を引張り、引戸１２と壁１４の間より引き出す。そして、取手２０を引戸１２及び壁１４より現出させたら、今度はその取手２０内のハンドル７０に手指を挿入して、引戸１０を閉塞方向へ移動させ、開口１６を閉塞すればよい。その際、ハンドル７０は引戸閉塞方向に摺動しているので、ストッパー８０、８２が突出するような不具合はなく、ストッパー８０、８２はケース２２内に収納された状態を維持する。したがって、取手２０自体の見栄えもよい。
【００３８】
次に、第２実施例について図８乃至図１０を基に説明する。なお、上記第１実施例と同等のものには同じ符号を付してその説明を省略する。また、この第２実施例における一連の作用も上記第１実施例と同様であるので、その詳細な説明も省略する。図８で示すように、内ケース２６のフレーム４６の上面には、先端近傍が下方に向かって側面視略「く」字状に屈曲された板バネ９８を取り付けるための取付部５７が設けられており、取付部５７は、その板バネ９８の屈曲部９８Ａが挿通される開孔５７Ａと、板バネ９８の基端に穿設された取付孔９８Ｂに嵌合してその板バネ９８をフレーム４６に固定する凸部５７Ｂとで構成されている。
【００３９】
一方、ハンドル７１の上面には凹部７５が形成されており、開孔５７Ａから下方に突き出した板バネ９８の屈曲部９８Ａがその凹部７５内に進入して係合することにより、ケース２２内において、ハンドル７１を常時下方に向かって付勢するようになっている。そして、ハンドル７１の下面には、直線状のリブ６９が長手方向（左右方向）に設けられており、その端部近傍には突起６８が設けられている。
【００４０】
また、フレーム４６の下面には、直線状の溝部５９が長手方向（左右方向）に形成されており、その端部近傍には規制孔５８が設けられている。しかして、その溝部５９及び規制孔５８内にリブ６９及び突起６８が挿入されることにより、ハンドル７１は、ケース２２内においてガタつくことなく摺動可能になっている。したがって、このような板バネ９８やリブ６９及び溝部５９等は、上記第１実施例の場合において設けても構わない。
【００４１】
また、ハンドル７１において、バネ保持部６４の上方及び下方には平板状の押圧部７７、７９が水平方向に突設されており、上方の押圧部７７が下方の押圧部７９よりも長く突出するように延設されている。そして、その上方の押圧部７７の延設された先端部分には、ハンドル７１の摺動方向と直交する方向に長い略楕円形状の長孔部７７Ａが２個、同方向に並んで穿設されており、その長孔部７７Ａの上面周縁には補強用の肉厚部７７Ｂが形成されている。
【００４２】
この押圧部７７はストッパー８０、８２の内側部中央に設けられた切欠部８０Ａ、８２Ａ内に挿入され、ストッパー８０、８２の軸孔部８６と長孔部７７Ａに規制軸９６が挿通されることにより、ストッパー８０、８２とハンドル７１とが規制軸９６によって枢支連結されるように構成されている。しかして、軸孔部８６は、上記第１実施例のときの位置よりも、ハンドル７１側に穿設されており、それに伴ってフレーム４６の長孔部６０も軸孔部６２の側方寄りに穿設されている。そして、これらにより、ハンドル７１とストッパー８０、８２との連動機構が構成されるようになっている。
【００４３】
すなわち、ハンドル７１を引戸開放方向へ摺動させると、押圧部７７が同方向へ移動し、ストッパー８０、８２の切欠部８０Ａ、８２Ａ内における後部内側を押圧する。すると、ストッパー８０、８２は回動軸９４を中心に同期して回動し、ケース２２内、即ち引戸１０の表裏両面から所定長さ分（長孔部６０によって規制軸９６が規制されるまで）突出する。なお、このとき、規制軸９６は長孔部６０に沿った移動に伴い、長孔部７７Ａ内を内側から外側に向かって移動する。
【００４４】
つまり、長孔部７７Ａは、ハンドル７１の摺動方向と直交する方向に長い略楕円形状に形成されていることにより、規制軸９６の長孔部６０に沿った移動を許容しながら、押圧部７７の移動も許容できるようになっている。なお、ハンドル７１を引戸閉塞方向へ摺動させた場合には、規制軸９６が長孔部７７Ａを介した押圧部７７によって同方向へ牽引され、長孔部６０に沿って移動するので、ストッパー８０、８２は、回動軸９４を中心に同期して回動し、その後部内側が同方向へ移動してケース２２内に収納される。
【００４５】
このように、第２実施例では、引張コイルバネ８８のバネ力によってストッパー８０、８２をケース２２内に収納するのではなく、ハンドル７１とストッパー８０、８２とを枢支連結し、そのハンドル７１の摺動によってストッパー８０、８２が回動軸９４を中心に回動するように構成して、ケース２２内から突出又はケース２２内に収納されるようにしている。したがって、引張コイルバネ８８を設ける第１実施例に比べ、部品点数の削減が図れ、コストダウンが図れる利点がある。
【００４６】
更に、引張コイルバネ８８を使用しないことから、ストッパー８０、８２が引張コイルバネ８８のトラブルにより、ケース２２内から出没しなくなるような不具合もなく、ハンドル７１の摺動により、ケース２２内から確実に出没させることができる。また、ストッパー８０、８２は、図９、図１０で示すように、内部又は内側に空洞（空間）８０Ｂ、８２Ｂを設けるような構造にしてもよく、全体的に軽量化を図るようにしてもよい。
【００４７】
何れにしても、ストッパー８０、８２を出没させる手段はハンドル７０の摺動によるものに限定されるものではなく、引戸開放方向への作用力をストッパー８０、８２の突出動作に変換可能に構成されているものであれば、どのようなものでもよい。
【００４８】
【発明の効果】
以上、本発明によれば、引戸を開放方向へ移動させると、ストッパーが戸面から突出し、引戸収納部又は別の引戸の端面に当接して、それ以上の開放が阻止されるので、指詰めが防止される。また、このストッパーは収納可能であるため、引戸を完全に収納部等に収納することが可能となり、開口を完全に開放することができる。
【図面の簡単な説明】
【図１】  本発明に係る取手を備えた引戸全体を示す概略斜視図
【図２】  本発明に係る取手の分解斜視図
【図３】  本発明に係る取手を備えた引戸の概略平断面図
【図４】  本発明に係る取手を備えた引戸を開放方向へ移動させたときの概略平断面図
【図５】  本発明に係る取手を備えた引戸を開放方向へ移動させた様子を示す概略斜視図
【図６】  本発明に係る取手を備えた引戸を閉塞方向へ少し戻した様子を示す概略斜視図
【図７】  本発明に係る取手を備えた引戸を別の引戸と壁の間に収納した様子を示す概略斜視図
【図８】  本発明に係る別実施例の取手の分解斜視図
【図９】  本発明に係る別実施例の取手を備えた引戸の概略平断面図
【図１０】  本発明に係る別実施例の取手を備えた引戸を開放方向へ移動させたときの概略平断面図
【図１１】  従来の取手を備えた引戸を示す概略斜視図
【符号の説明】
１０  引戸
２０  取手
３２  開口部（第２開口部）
３４  開口部（第１開口部）
４２  開口部（第２開口部）
４４  開口部（第１開口部）
７０  ハンドル
８０  ストッパー
８２  ストッパー
８８  引張コイルバネ（ストッパー収納用弾性部材）
９０  圧縮コイルバネ（ハンドル移動用弾性部材）
【図１】
0004231223.tif 000002
【図２】
0004231223.tif 000003
【図３】
0004231223.tif 000004
【図４】
0004231223.tif 000005
【図５】
0004231223.tif 000006
【図６】
0004231223.tif 000007
【図７】
0004231223.tif 000008
【図８】
0004231223.tif 000009
【図９】
0004231223.tif 000010
【図１０】
0004231223.tif 000011
【図１１】
0004231223.tif 000012